(57)【要約】      （修正有）【課題】照明光源付きタッチパネルモジュールを提供する。【解決手段】この照明光源付きタッチパネルモジュールは、透明なタッチパネル４が導光板５の上に重ね合わされてなり、該導光板５は透明薄板とされ、その板体の一表面に導光構造が設けられ、該導光板の四側辺に反射層が設けられ、かつそのうち少なくとも一つの反射層に光投射孔５２ａが設けられ、並びに少なくとも一つの光源５５が前述の光投射孔の外側付近に設置される。該タッチパネルモジュールは省エネ表示モジュールの前方に取り付け可能で、基板を導光構造の表面に設置するとちょうどディスプレイ６に対向し、この導光板構造により、光を有効に導出し、ディスプレイの照明を提供する。【選択図】図３
0003159253.tif 000002
【実用新案登録請求の範囲】
【請求項１】
透明なタッチパネルと、
透明な薄板であり、その板体の一表面に前述のタッチパネルが重ね合わされ、並びに該板体の別表面に導光構造が設けられ、該板体の四周側辺に反射層が設けられ、且つそのうち少なくとも一つの反射層に光投射孔が開設された、導光板と、
該光投射孔の付近に取り付けられた少なくとも一つの光源と、
を包含したことを特徴とする照明光源付きタッチパネルモジュール。
【請求項２】
請求項１記載の照明光源付きタッチパネルモジュールにおいて、該タッチパネルが抵抗膜式タッチパネル、静電容量式タッチパネル、光学式タッチパネル、超音波式、電磁誘導式タッチパネル、或いは複合誘導式タッチパネルのいずれかとされることを特徴とする照明光源付きタッチパネルモジュール。
【請求項３】
請求項１記載の照明光源付きタッチパネルモジュールにおいて、該導光板がガラス、ポリカーボネート（ＰＣ）、ポリエチレンテレフタレート（ＰＥＴ）、ポリメタクリル酸メチル樹脂（ＰＭＭＡ）、或いは環状オレフィン・コポリマー（ＣＯＣ）のいずれかの材質の薄板とされることを特徴とする照明光源付きタッチパネルモジュール。
【請求項４】
透明なタッチセンサと、透明なタッチ膜層と、透明な基板とを包含し、該タッチセンサが該タッチ膜層と該基板の間に挟設され、並びに該タッチセンサと該タッチ膜層と該基板とが重ね合わされて一体に接合された照明光源付きタッチパネルモジュールにおいて、
該基板の板体の一表面に導光構造が設けられ、該基板の四周側辺に反射層が設けられ、且つそのうち少なくとも一つの反射層に光投射孔が開設され、並びに該光投射孔の外側付近に少なくとも一つの光源が設置されたことを特徴とする照明光源付きタッチパネルモジュール。
【請求項５】
請求項１又は請求項４記載の照明光源付きタッチパネルモジュールにおいて、該反射層が鏡面薄層とされたことを特徴とする照明光源付きタッチパネルモジュール。
【請求項６】
請求項１又は請求項４記載の照明光源付きタッチパネルモジュールにおいて、該光源は発光ダイオードとされたことを特徴とする照明光源付きタッチパネルモジュール。
【請求項７】
請求項１又は請求項４記載の照明光源付きタッチパネルモジュールにおいて、該導光構造は、板体表面に凸設された複数の、透光性の点、線、或いは面のパターンで構成されたことを特徴とする照明光源付きタッチパネルモジュール。
【請求項８】
請求項１又は請求項４記載の照明光源付きタッチパネルモジュールにおいて、該導光構造は、板体表面に凹設された複数の、透光性の点、線、或いは面のパターンで構成されたことを特徴とする照明光源付きタッチパネルモジュール。
【考案の詳細な説明】
【技術分野】
【０００１】
本考案は一種の照明光源付きタッチパネルモジュールに係り、特にローパワー照明光源を具えたタッチパネル構造に係り、且つバックライトのない表示モジュールの前に配置して使用するのに適したタッチパネルモジュールに関する。
【背景技術】
【０００２】
近年、新型の省エネ電子製品、例えば、電子ブック、電子ペーパー、電子インクディスプレイ等の電子製品が広く受け入れられるようになった。通常、これらの省エネ電子製品は携帯しやすさと環境保護、省エネを目的とし、ゆえにその製品構造はほとんどが薄型化設計の傾向にあり、且ついずれも省エネ表示モジュールを採用し、すなわち、照明を提供するバックライトモジュールを設置していない。しかし、省エネ表示モジュールは主動照明装置を具備しないため、暗いところで使用する時、例えば夜間の使用や薄暗い室内で使用する時は、外界の照明光線が不足するため、使用車が該表示モジュール上の情報を明晰に識別することができず、使用上の問題を形成した。
【考案の概要】
【考案が解決しようとする課題】
【０００３】
本考案の目的は、照明光源付きタッチパネルモジュールを提供することにあり、それは、省エネ表示モジュールの前に配置されて使用され、該表示モジュールに対して照明を提供し、使用場面の制限を受けない目的を達成し、また、ローパワー照明光源を具備し、さらに電子インクなどの類似の表示モジュールの省エネ機能を組み合わせることで、電子装置のパワー消耗を減らすことができ、省エネ、環境保護の目的を達成できるものとする。
【課題を解決するための手段】
【０００４】
上述の目的を達成するため、本考案の提供する照明光源付きタッチパネルモジュールは、透明のタッチパネルが導光板の上に重ね合わされてなり、該タッチパネルは周知のタッチパネルの構造と同じであり、すなわち、タッチセンサ、タッチ膜層、及び基板を包含し、該タッチセンサは該タッチ膜層と該基板の間に挟設され、前述の三者が重ね合わされ一体に接合されている。該導光板は透明薄板とされ、その板体の一表面に導光構造が設けられ、該導光板の四周側辺に反射層が設けられ、かつそのうち少なくとも一つの反射層に光投射孔が設けられ、並びに少なくとも一つの光源が前述の光投射孔の外側付近に設置される。該タッチパネルモジュールは省エネ表示モジュールの前方に取り付け可能で、基板を導光構造の表面に設置するとちょうどディスプレイに対向し、この導光板構造により、光を有効に導出し、ディスプレイの照明を提供する。
【０００５】
本考案はまた、別の一種の、照明光源付きタッチパネルモジュールを提供し、それは前述の実施例の導光板部品が省略され、並びにタッチパネルの基板が導光板の機能も具備するものとされる。それは、透明なタッチパネルの基板の一表面に導光構造が設けられ、及び、該基板の四側辺に反射層が設けられ、且つそのうち少なくとも一つの反射層に光投射孔が開設され、並びに少なくとも一つの光源が前述の光投射孔の外側付近に設置される。
【０００６】
そのうち、前述のタッチパネルは抵抗膜式タッチパネル、静電容量式タッチパネル、光学式タッチパネル、超音波式、電磁誘導式タッチパネル、或いは複合誘導式タッチパネルとされる。
【０００７】
該導光板或いは該基板は実質的に透明な薄板とされ、その材質はガラス、ポリカーボネート（ＰＣ）、ポリエチレンテレフタレート（ＰＥＴ）、ポリメタクリル酸メチル樹脂（ＰＭＭＡ）、或いは環状オレフィン・コポリマー（ＣＯＣ）等の材料より選択可能であるが、使用材料はこれらの材料に限定されるわけではない。
【０００８】
該導光構造は複数の、板体表面に凸設或いは凹設された透光性の点、線、或いは面のパターンで構成され、該導光構造は、エッチング、印刷、モールディング或いは貼り付け等の技術手段により設置される。
【０００９】
該反射層は銀或いはアルミニウム材質の高反射率の鏡面薄層とされ、該反射層はめっき、金属スパッタ、印刷或いは貼り付け等の技術手段により形成される。
【００１０】
該光源は中或いは低パワーの光源とされ、好ましくは、該光源は発光ダイオードとされ、この発光ダイオードは赤色発光ダイオード、青色発光ダイオード、緑色発光ダイオード、或いは白色発光ダイオードとされる。
【考案の効果】
【００１１】
本考案の提供する照明光源付きタッチパネルモジュールは、透明なタッチパネルが導光板の上に重ね合わされてなり、該導光板は透明薄板とされ、その板体の一表面に導光構造が設けられ、該導光板の四側辺に反射層が設けられ、かつそのうち少なくとも一つの反射層に光投射孔が設けられ、並びに少なくとも一つの光源が前述の光投射孔の外側付近に設置される。該タッチパネルモジュールは省エネ表示モジュールの前方に取り付け可能で、基板を導光構造の表面に設置するとちょうどディスプレイに対向し、この導光板構造により、光を有効に導出し、ディスプレイの照明を提供する。
【図面の簡単な説明】
【００１２】
【図１】本考案の実施例の側面部分断面図である。
【図２】図１のＡ部分の拡大図である。
【図３】本考案の別の実施例の側面部分断面図である。
【考案を実施するための形態】
【００１３】
以下に本考案のその他の機能と技術特徴を説明し、本技術を熟知する者が文中の説明を熟読した後に本考案を実施できるようにする。
【００１４】
図１は本考案の実施例の側面部分断面図である。この照明光源付きタッチパネルモジュールは、タッチセンサ１、タッチ膜層２、及び基板３を包含し、該タッチセンサ１が該タッチ膜層２と該基板３の間に挟設され、且つその外周辺部分に接着フレーム１４が設けられて、前述の基板３と該タッチ膜層２が重ね合わされて一体に接合される。この実施例では、該タッチセンサ１は一般の静電容量式タッチセンサの構造を採用し、それは周知の静電容量式タッチセンサと同じ構造を有するため、詳しい説明は省略する。該タッチ膜層２は透明なポリエチレンテレフタレート薄膜層とされる。該基板３はポリメタクリル酸メチル樹脂（ＰＭＭＡ）材質の透明薄板とされ、該基板３の底表面に複数の透光可能な小凸点３１が配設され（図２を参照されたい）、並びに該基板３の四側壁が研磨されて平坦な光沢面とされ、それぞれ高反射率の銀鏡面反射層３２が設置され、且つ一側の反射層に光投射孔３２ａが開設され、また、これら光投射孔３２ａの外側に発光ダイオード３５が取り付けられ、該発光ダイオードの光線が該光投射孔３２ａを通り該基板３中に投射され、これら発光ダイオード３５はさらに電源スイッチ（図示せず）に接続され、該電源スイッチによりこれら発光ダイオード３５の発光と不発光が選択的に操作される。
【００１５】
上述の構成のタッチパネルモジュールは、省エネ表示モジュール、例えば電子ブック（ｅ−ｂｏｏｋ）、電子ペーパー（ｅ−ｐａｐｅｒ）、電子インクディスプレイ（ｅ−ｉｎｋ）のディスプレイ６の前方に取り付けられて使用可能であり、該基板の小凸点３１の表面が該ディスプレイ６に対向するように設置される（図１参照）。これら発光ダイオード３５の光線が該光投射孔３２ａを通過して該基板３中に投射され、これら反射層３２の設置により該基板３中の光線が四周側辺より外に漏洩するのが防止され、該基板３の底表面の小凸点３１を利用して、該基板３中の光線が屈折させられ導出され、該基板下方のディスプレイ６に照明を提供する。前述の小凸点３１は低密度に該基板３の底表面に配設され、これにより該ディスプレイ６の映像に対して与える不利な影響の程度が極めて小さいものとされる。
【００１６】
さらに、図３の本考案の別の実施例に示されるように、該照明光源付きタッチパネルモジュールは周知の透明タッチパネル４が直接導光板５に重ね合わされてなる。事実上、この実施例中の導光板５は前述の基板３と同じ構造を有し、すなわち、該導光板５は透明薄板とされ、板体の底表面に複数の透光可能な小凸点５１が配設され、板体の四周側壁が研磨されて平坦な光沢面とされ、それぞれに反射層５２が設けられ、且つ反射層に光投射孔５２ａが開設され、及び、発光ダイオード５５が取り付けられる。これにより、周知のタッチパネルの構造を変更せずに、直接タッチパネルを導光板５に組み合わせて使用できる。
【００１７】
本考案は上述の形式に限定されるわけではなく、上述の説明を参考にして多くの技術的に均等な改良と変化を達成可能である。例えば、前述の任意の実施例の構造において、該基板３或いは導光板５の小凸点３１、５１を板体表面に凹設した凹孔、凹溝としてもよく、或いは、板体表面に凸設した凸紋或いは細小な幾何図形面としてもよい。これらの変化はいずれも前述の実施例と同一或いは類似の効果を達成するものであり、ゆえに本考案の前述の技術と実質的に同じと見なされる。ゆえに、本考案の創作精神の下でなし得る、本考案に対する修飾或いは変更は、いずれも本考案の保護を請求する範疇に属する。
【符号の説明】
【００１８】
１  タッチセンサ
２  タッチ膜層
３  基板
１４  接着フレーム
３１、５１  小凸点
３５  発光ダイオード
３２ａ、５２ａ  光投射孔
６  ディスプレイ
４  タッチパネル
５  導光板
【図１】
0003159253.tif 000003
【図２】
0003159253.tif 000004
【図３】
0003159253.tif 000005